Podtech/llm-jp-corpus-v4-ja_patent huggingface dataset:
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
ユーザに関連した携帯電子デバイス（１２）のディスプレイ（４０）上に情報を視覚的に表す方法であって、
該方法は、
少なくとも一人の他のユーザに関連した少なくとも１つの他の携帯電子デバイスから位置座標を受信することであって、該少なくとも一人の他のユーザは、該携帯電子デバイス（１２）の該ユーザのコンタクトリストに基づいて選択される、ことと、
該少なくとも１つの他の携帯電子デバイスの該少なくとも一人の他のユーザの状態を受信することであって、該状態は、該少なくとも一人の他のユーザに関連した該少なくとも１つの他の携帯電子デバイスから送信され、該状態は、ローカルなアルゴリズムを用いて決定することが可能であり、該状態は、手動入力を用いて決定することが可能である、ことと、
該携帯電子デバイス（１２）の該ディスプレイ上にマップ（５２）を表示することであって、該マップ（５２）上に表示される視覚識別子（５４、５６、５８、６０）のポジションは、該少なくとも１つの他の携帯電子デバイスから受信される該位置座標に対応する、ことと、
該ディスプレイ（４０）上に該少なくとも１つの他の携帯電子デバイスの該少なくとも一人の他のユーザの該状態を表示することであって、該状態は、非テキストの絵によって視覚的に表される、ことと
を包含する、方法。
【請求項２】
前記位置座標は、グローバルポジショニングシステム技術を用いて決定される、請求項１に記載の方法。
【請求項３】
前記マップ（５２）は、マッピングソフトウェアを用いて生成される、請求項１または２に記載の方法。
【請求項４】
前記ディスプレイ上に状態を表示するステップは、前記少なくとも１つの他の携帯電子デバイスの前記少なくとも一人の他のユーザの前記状態を示すために前記視覚識別子（５４、５６、５８、６０）を選択すること、修正すること、または配置することを含む、請求項１〜３のうちのいずれか一項に記載の方法。
【請求項５】
前記視覚識別子（５４、５６、５８、６０）の外観は、前記状態を示すために選択されるか、修正されるか、または配置される、請求項４に記載の方法。
【請求項６】
前記状態は、使用中、利用不可能またはタイピングのいずれかを含み、使用中は、ハチの絵によって示され、利用不可能は、邪魔をしないでサインの絵によって示され、タイピングは、コールアウトの絵によって示される、請求項４または５に記載の方法。
【請求項７】
前記視覚識別子（５４、５６、５８、６０）は、前記少なくとも１つの他の携帯電子デバイスの前記少なくとも一人の他のユーザに対してユニークであるアバタールである、請求項１〜６のうちのいずれか一項に記載の方法。
【請求項８】
前記視覚識別子（５４、５６、５８、６０）に焦点を当てることは、前記少なくとも１つの他の携帯電子デバイス（１２）の前記少なくとも一人の他のユーザに関連するコンタクト情報を表示するウィンドウを起動する、請求項１〜７のうちのいずれか一項に記載の方法。
【請求項９】
前記携帯電子デバイス（１２）と前記少なくとも１つの他の携帯電子デバイスとの間の距離は、無制限である、請求項１〜８のうちのいずれか一項に記載の方法。
【請求項１０】
前記少なくとも１つの他の携帯電子デバイスに関連する前記少なくとも一人の他のユーザは、前記携帯電子デバイス（１２）の前記ユーザの前記コンタクトリストのメンバである、請求項１〜９のうちのいずれか一項に記載の方法。
【請求項１１】
前記位置座標および前記状態は、連続的に更新されている、請求項１〜１０のうちのいずれか一項に記載の方法。
【請求項１２】
前記位置座標は、前記少なくとも１つの他の携帯電子デバイスの実際の位置に対応する、請求項１〜１１のうちのいずれか一項に記載の方法。
【請求項１３】
ユーザに関連する携帯電子デバイス（１２）であって、
該携帯電子デバイス（１２）は、
少なくとも１つの他の携帯電子デバイスの少なくとも一人の他のユーザの位置座標および状態情報を受信するプロセッサ（３０）であって、該位置座標および状態情報は、該少なくとも一人の他のユーザに関連する該少なくとも１つの他の携帯デバイスから送信され、該少なくとも一人の他のユーザは、該携帯電子デバイス（１２）の該ユーザのコンタクトリストに基づいて選択され、該状態情報は、ローカルなアルゴリズムを用いて決定することが可能であり、該状態情報は、手動入力を用いて決定することが可能である、プロセッサ（３０）と、
マップ（５２）上に視覚識別子を表示するディスプレイ（４０）であって、該視覚識別子（５４、５６、５８、６０）の位置は、該位置座標に対応する、ディスプレイ（４０）と
を備え、
該プロセッサ（３０）は、該受信された状態情報に従って、該少なくとも１つの他の携帯電子デバイス（１２）の該少なくとも一人の他のユーザの状態を示すために該視覚識別子を選択し、修正し、または配置するように構成され、該状態は、非テキストの絵によって視覚的に表される、携帯電子デバイス（１２）。
【請求項１４】
前記プロセッサ（３０）は、前記受信された状態情報に従って、前記少なくとも１つの他の携帯電子デバイスの前記状態を示すために前記視覚識別子（５４、５６、５８、６０）の外観を選択し、修正し、または配置するように構成される、請求項１３に記載の携帯電子デバイス（１２）。
【請求項１５】
前記デバイス（１２）は、グローバルポジショニングシステム技術を用いて決定された位置座標を受信するように構成される、請求項１３または１４に記載の携帯電子デバイス（１２）。
【請求項１６】
前記デバイス（１２）は、連続的に更新される前記位置座標および前記状態情報を受信するように構成される、請求項１３〜１５のうちのいずれか一項に記載の携帯電子デバイス（１２）。
【請求項１７】
前記デバイス（１２）は、使用中、利用不可能またはタイピングのいずれかを含むユーザ状態に対応する状態情報を受信するように構成され、使用中は、ハチの絵によって示され、利用不可能は、邪魔をしないでサインの絵によって示され、タイピングは、コールアウトの絵によって示される、請求項１３〜１６のうちのいずれか一項に記載の携帯電子デバイス（１２）。
【請求項１８】
前記デバイス（１２）は、前記少なくとも１つの他の携帯電子デバイスの前記少なくとも一人の他のユーザに対してユニークであるアバタールを、前記視覚識別子（５４、５６、５８、６０）として使用するように構成される、請求項１３〜１７のうちのいずれか一項に記載の携帯電子デバイス（１２）。
【請求項１９】
コンピュータプログラムを記録したコンピュータ読み出し可能な格納媒体であって、該コンピュータプログラムは、コンピュータにより実行されるときに、該コンピュータに請求項１〜１２のうちのいずれか一項に記載の方法を実行させる、コンピュータ読み出し可能な格納媒体。
【手続補正２】
【補正対象書類名】図面
【補正対象項目名】全図
【補正方法】変更
【補正の内容】
【図１】
2011081833.tif 000001
【図２】
2011081833.tif 000002
【図３】
2011081833.tif 000003
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
偏光板を含む光学フィルムを光学表示ユニットに貼り合せた光学表示装置の製造方法であって、
前記光学フィルムと粘着剤層と離型フィルムとをこの順で積層した長尺シート状製品が、前記偏光板の吸収軸に平行又は一定の角度で巻回されている長尺原反を、幅方向に複数個所スリット加工することで前記光学表示ユニットの長辺または短辺に対応する幅で巻回されているロール原反を複数個製造する工程と、
前記光学フィルムと粘着剤層と離型フィルムとをこの順で積層した長尺シート状製品が、前記偏光板の吸収軸に平行又は一定の角度で前記光学表示ユニットの短辺又は長辺に対応する幅でスリット加工された状態で巻回されている前記ロール原反から、前記長尺シート状製品を繰り出して搬送する工程と、
搬送される前記長尺シート状製品の光学フィルムを検査して欠点を検出する工程と、
検出した欠点を避けながら、離型フィルムを残して前記長尺シート状製品を前記光学表示ユニットの長辺又は短辺に対応する長さに切断する工程と、
前記切断された良品の光学フィルムに対しては、これを前記光学表示ユニットの表面に貼り合せる工程と、
前記光学フィルムの欠点を有する部分に対しては、これを排除する工程と、を含む光学表示装置の製造方法。
【請求項２】
偏光板を含む光学フィルムを光学表示ユニットに貼り合せた光学表示装置の製造方法であって、
前記光学フィルムと粘着剤層と離型フィルムとをこの順で積層した長尺シート状製品が、前記偏光板の吸収軸に平行又は一定の角度で巻回されている長尺原反を、幅方向に複数個所スリット加工することで前記光学表示ユニットの長辺または短辺に対応する幅で巻回されているロール原反を複数個製造する工程と、
前記光学フィルムと粘着剤層と離型フィルムとをこの順で積層した長尺シート状製品が、前記偏光板の吸収軸に平行又は一定の角度で前記光学表示ユニットの短辺又は長辺に対応する幅でスリット加工された状態で巻回され、欠点の位置を特定する欠点情報が付されたロール原反から、前記長尺シート状製品を繰り出して搬送する工程と、
前記欠点情報に基づいて欠点を避けながら、離型フィルムを残して前記長尺シート状製品を前記光学表示ユニットの長辺又は短辺に対応する長さに切断する工程と、
前記切断された良品の光学フィルムに対しては、これを前記光学表示ユニットの表面に貼り合せる工程と、
前記光学フィルムの欠点を有する部分に対しては、これを排除する工程と、を含む光学表示装置の製造方法。
【請求項３】
前記ロール原反として、前記光学表示ユニットの短辺に対応する幅でスリット加工された状態で巻回されているものを使用し、前記長尺シート状製品を前記光学表示ユニットの長辺に対応する長さに切断する工程と、
前記光学表示ユニットの長辺に対応する幅でスリット加工された状態で巻回されているものとを使用し、前記長尺シート状製品を前記光学表示ユニットの短辺に対応する長さに切断する工程とを含む請求項１又は２に記載の光学表示装置の製造方法。
【請求項４】
長手方向の前記欠点の位置座標と対応付けて当該欠点の位置を記憶する工程を含み、
前記切断する工程は、前記欠点の位置を避けるように切断し、
貼合位置座標と欠点の位置座標の距離が、良品の光学フィルムの切断長さよりも大きい場合は良品と判別し、小さい場合は欠点を有すると判別する工程を含み、
前記貼り合せる工程は、前記良品と判別された光学フィルムを光学表示ユニットの表面に貼り合せ、
前記排除する工程は、前記欠点を有すると判別された光学フィルムを排除する、請求項１〜３いずれかに記載の光学表示装置の製造方法。
【請求項５】
前記切断する工程は、近接する２つの欠点の位置座標間の距離が良品の光学フィルムの切断長さより小さい場合に、切断を行わない請求項１〜４いずれかに記載の光学表示装置の製造方法。
【請求項６】
前記検査する工程と前記切断する工程との間で、アキュムレート装置によって長尺シート状製品を連続搬送させる、請求項１に記載の光学表示装置の製造方法。
【請求項７】
前記光学表示ユニットは、有機ＥＬ発光ユニットである請求項１〜６いずれかに記載の光学表示装置の製造方法。
【請求項８】
前記光学表示ユニットがＶＡモード又はＩＰＳモードの液晶パネルである請求項１〜６いずれかに記載の光学表示装置の製造方法。
【請求項９】
所定の長さに切断して光学表示ユニットの表面に貼り合せるためのロール原反であって、
前記光学フィルムと粘着剤層と離型フィルムとをこの順で積層した長尺シート状製品が、前記偏光板の吸収軸に平行又は一定の角度で前記光学表示ユニットの短辺又は長辺に対応する幅でスリット加工された状態で巻回されているロール原反。
【請求項１０】
貼り合せに用いる前記光学表示ユニットがＶＡモード又はＩＰＳモードの液晶パネルである請求項９に記載のロール原反。
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
接触する指から得られる入力座標を検出する情報処理方法において、
前記入力座標に関する入力情報を情報入力装置から入手し、
前記入力情報をワークメモリに記録されている情報と比較し、時間的な変化から入力座標の移動方向及び入力座標の移動速度を演算したのちに判断し、
前記入力情報を前記ワークメモリへ記録し、
前記移動速度を予め設定した閾値と比較し、
前記移動速度が前記閾値を超える場合、前記入力座標の移動方向から、前記情報入力装置の表示領域に表示する前記マウスポインタの出現方向を選択し、
前記入力座標に対し予め定義されたオフセット位置に、前記マウスポインタの表示座標を出力する情報処理方法。
【請求項２】
前記情報入力装置に入力情報が一定期間継続して検出されている場合、前記マウスポインタの出現方向を一定の方向に保持する請求項１に記載の情報処理方法。
【請求項３】
前記情報入力装置に入力情報が一定期間継続して検出されている場合、前記マウスポインタの出現方向の更新を継続する請求項１に記載の情報処理方法。
【請求項４】
前記情報入力装置に入力情報が一定期間検出されず、その後予め定めた期間の間に再度入力情報が検出された場合、前記マウスポインタの出現方向は前回保持した方向である請求項１ないし３のいずれか１項に記載の情報処理方法。
【請求項５】
前記情報入力装置に入力情報が一定期間検出されず、その後予め定めた期間を経過した後に再度入力情報が検出された場合、前記マウスポインタの出現方向を初期位置に更新する請求項１ないし３のいずれか１項に記載の情報処理方法。
【請求項６】
前記マウスポインタの出現方向は、前記移動方向の方向と同一である請求項１ないし３のいずれか１項に記載の情報処理方法。
【請求項７】
前記マウスポインタの出現方向は、前記移動方向の方向を元にして、前記入力座標の右上、右下、左上、左下の４種類の位置のいずれかから選択される請求項１ないし３の何れか１項に記載の情報処理方法。
【請求項８】
指の接触位置を検出するタッチパネルと、タッチパネル制御部と、
表示面が前記タッチパネルに貼り合わされた液晶表示部と、表示制御部と、
前記タッチパネルで入力した情報を出力するインターフェースと、
前記インターフェースからの信号に基づき入力座標を演算するＣＰＵと、
前記入力座標を演算するプログラムを記録するプログラムメモリと、
前記ＣＰＵを動作する時に情報を記録する記憶部と、
通信、表示、演算、入力の制御のプログラムのワーキングエリアとして使用するワークメモリと、からなる情報処理装置において、
前記プログラムメモリに、
入力座標に関する入力情報を前記インターフェースから入手し、
前記入力情報を前記ワークメモリに記録された入力情報と比較し、時間的な変化から入力座標の移動方向及び入力座標の移動速度を判断し、
前記入力情報を前記ワークメモリに記録し、
前記移動速度を予め設定した閾値比較し、
前記移動速度が前記閾値を超える場合、前記移動方向から表示領域に表示するマウスポインタの出現方向を選択し、
前記液晶表示部の前記指の直下から離間した位置に、マウスポインタの表示座標を出力するプログラムが記憶されている情報処理装置。
【請求項９】
前記タッチパネルへの入力情報の検出が継続していると判断される期間、前記マウスポインタの出現方向を一定の方向に保持する請求項８に記載の情報処理装置。
【請求項１０】
前記タッチパネルへの入力情報の検出が継続していると判断される期間、前記マウスポインタの出現方向を更新する請求項８に記載の情報処理装置。
【請求項１１】
前記タッチパネルへの入力情報が検出されないと判断し、予め定めた期間の間に再度入力情報が検出されたと判断した場合、前記マウスポインタの出現方向を前回保持した方向とする請求項８ないし１０のいずれか１項に記載の情報処理装置。
【請求項１２】
前記タッチパネルへの入力情報が検出されないと判断し、予め定めた期間を経過した後に再度入力情報が検出されたと判断した場合、前記マウスポインタの出現方向を初期位置に更新する請求項８ないし１０のいずれか１項に記載の情報処理装置。
【請求項１３】
前記マウスポインタの出現方向が、前記移動方向の方向と同一である請求項８ないし１０のいずれか１項に記載の情報処理装置。
【請求項１４】
前記マウスポインの出現方向が、前記移動方向の方向に対して、前記入力座標の右上、右下、左上、左下の４種類の位置のいずれかを選択する請求項８ないし１０のいずれか１項に記載の情報処理装置。
【手続補正書】
【提出日】平成24年9月27日(2012.9.27)
【手続補正１】
【補正対象書類名】明細書
【補正対象項目名】発明の名称
【補正方法】変更
【補正の内容】
【発明の名称】通信装置及び通信装置の通信方法並びにプログラム
【手続補正２】
【補正対象書類名】明細書
【補正対象項目名】０００１
【補正方法】変更
【補正の内容】
【０００１】
本発明は、通信装置及び通信装置の通信方法並びにプログラムに関し、特に、外部装置からのＭＩＢ（Management Information Base）情報の取得要求に対応することができる通信装置及び通信装置の通信方法並びにプログラムに関する。
【手続補正３】
【補正対象書類名】明細書
【補正対象項目名】００１５
【補正方法】変更
【補正の内容】
【００１５】
本発明は、実際に外部装置と通信を行っているネットワークＩ／Ｆと外部装置に指定されたネットワークＩ／Ｆとが異なる場合でも、外部装置が要求するＭＩＢ情報を適切に返信することができる通信装置及び通信装置の通信方法並びにプログラムを提供することを目的とする。
【手続補正４】
【補正対象書類名】明細書
【補正対象項目名】００１６
【補正方法】変更
【補正の内容】
【００１６】
上記目的を達成するために、請求項１記載の通信装置は、複数のネットワークインターフェイスを備える通信装置において、ＭＩＢ情報を格納する格納手段と、外部装置からＭＩＢ情報の取得要求を受信する受信手段と、前記取得要求に含まれるifIndexの値が１であるか否かを判定する判定手段と、前記判定手段によって前記ifIndexの値が１ではないと判定された場合に、前記ifIndexの値が示すＭＩＢ情報を前記外部装置に返信し、前記判定手段によって前記ifIndexの値が１であると判定された場合に、前記取得要求を受信したネットワークインターフェイスを前記複数のネットワークインターフェイスの中から特定し、当該特定したネットワークインターフェイスに対応するＭＩＢ情報を前記外部装置に返信する返信手段とを備えることを特徴とする。
【手続補正５】
【補正対象書類名】特許請求の範囲
【補正対象項目名】全文
【補正方法】変更
【補正の内容】
【特許請求の範囲】
【請求項１】
複数のネットワークインターフェイスを備える通信装置において、
ＭＩＢ情報を格納する格納手段と、
外部装置からＭＩＢ情報の取得要求を受信する受信手段と、
前記取得要求に含まれるifIndexの値が１であるか否かを判定する判定手段と、
前記判定手段によって前記ifIndexの値が１ではないと判定された場合に、前記ifIndexの値が示すＭＩＢ情報を前記外部装置に返信し、前記判定手段によって前記ifIndexの値が１であると判定された場合に、前記取得要求を受信したネットワークインターフェイスを前記複数のネットワークインターフェイスの中から特定し、当該特定したネットワークインターフェイスに対応するＭＩＢ情報を前記外部装置に返信する返信手段とを備えることを特徴とする通信装置。
【請求項２】
複数のネットワークインターフェイスを備える通信装置において、
前記ネットワークインターフェイスの数に応じた数のＭＩＢ情報を格納する格納手段と、
ネットワーク上の外部装置から受信したＭＩＢ情報の取得要求を受信した場合に、当該取得要求を受信したネットワークインターフェイスを特定する特定手段と、
前記特定されたネットワークインターフェイスに対応するＭＩＢ情報を前記外部装置に返信する返信手段とを備えることを特徴とする通信装置。
【請求項３】
前記格納手段は、オブジェクトＩＤとＩｎｄｅｘにより前記ＭＩＢ情報を識別可能に格納し、
前記ＭＩＢ情報の取得要求には前記オブジェクトＩＤと前記Ｉｎｄｅｘが指定されることを特徴とする請求項１または２記載の通信装置。
【請求項４】
複数のネットワークインターフェイスを備える通信装置の通信方法において、
ＭＩＢ情報を格納する格納工程と、
外部装置からＭＩＢ情報の取得要求を受信する受信工程と、
前記取得要求に含まれるifIndexの値が１であるか否かを判定する判定工程と、
前記判定工程によって前記ifIndexの値が１ではないと判定された場合に、前記ifIndexの値が示すＭＩＢ情報を前記外部装置に返信し、前記判定工程によって前記ifIndexの値が１であると判定された場合に、前記取得要求を受信したネットワークインターフェイスを前記複数のネットワークインターフェイスの中から特定し、当該特定したネットワークインターフェイスに対応するＭＩＢ情報を前記外部装置に返信する返信工程とを備えることを特徴とする通信装置の通信方法。
【請求項５】
複数のネットワークインターフェイスを備える通信装置の通信方法において、
前記ネットワークインターフェイスの数に応じた数のＭＩＢ情報を格納手段に格納する格納工程と、
ネットワーク上の外部装置から受信したＭＩＢ情報の取得要求を受信した場合に、当該取得要求を受信したネットワークインターフェイスを特定する特定工程と、
前記特定されたネットワークインターフェイスに対応するＭＩＢ情報を前記外部装置に返信する返信工程とを備えることを特徴とする通信装置の通信方法。
【請求項６】
請求項４または５記載の通信装置の通信方法をコンピュータに実行させるためのコンピュータで読み取り可能なプログラム。
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
タッチパネルから送られてくる、タッチ操作が行われたときのタッチ位置を示す位置信号を取得する取得部と、
上記位置信号に基づいて、タッチ操作の特徴として第１の特徴及び第２の特徴を検出し、当該第１の特徴及び第２の特徴のそれぞれと一致する第１の操作及び第２の操作に応じた表示処理を行うよう表示部を制御する制御部と
を有する表示制御装置。
【請求項２】
上記第１の操作は、表示部に表示される内容をスクロールさせるためのスクロール操作である
請求項１に記載の表示制御装置。
【請求項３】
上記第１の特徴は、一定時間内でのタッチ操作の移動量である
請求項２に記載の表示制御装置。
【請求項４】
上記制御部は、
上記移動量と所定値とを比較し、当該比較の結果に基づいて、上記スクロール操作が行われたかどうかを判別する
請求項３に記載の表示制御装置。
【請求項５】
上記制御部は、
上記タッチ操作の移動速度を得、上記タッチ操作の移動量と移動速度に基づいて、上記スクロール操作に応じた表示処理を行うよう表示部を制御する
請求項３に記載の表示制御装置。
【請求項６】
上記第２の操作は、表示部に表示される内容を拡大又は縮小する拡大縮小操作である
請求項１に記載の表示制御装置。
【請求項７】
上記第２の特徴は、タッチ操作の軌跡の曲がり具合である
請求項６に記載の表示制御装置。
【請求項８】
上記タッチ操作の軌跡が時計周りであれば、上記第２の操作は拡大操作であり、半時計周りであれば、上記第２の操作は縮小操作である
請求項７に記載の表示制御装置。
【請求項９】
上記第２の操作は、上記タッチ操作の軌跡の中心を拡大又は縮小の中心とする拡大縮小操作である
請求項７に記載の表示制御装置。
【請求項１０】
上記制御部は、
上記タッチ操作が行われたときの移動ベクトルの方向の変化に基づいて、上記タッチ操作の軌跡の曲がり具合を算出する
請求項７に記載の表示制御装置。
【請求項１１】
上記第２の特徴には、上記移動ベクトルの大きさが含まれる
請求項１０に記載の表示制御装置。
【請求項１２】
上記制御部は、
上記拡大縮小操作に基づいて拡大縮小の倍率を変化させ、当該倍率が所定値に達したら、当該倍率を固定するよう上記表示部を制御する
請求項６に記載の表示制御装置。
【請求項１３】
第１の表示部と第２の表示部とを有する
請求項１に記載の表示制御装置。
【請求項１４】
上記第１の表示部は、
タッチパネルである
請求項１３に記載の表示制御装置。
【請求項１５】
上記第２の表示部は、
タッチパネルである
請求項１３に記載の表示制御装置。
【請求項１６】
タッチパネルから送られてくる、タッチ操作が行われたときのタッチ位置を示す位置信号を取得し、当該位置信号に基づいて、タッチ操作の特徴として第１の特徴及び第２の特徴を検出し、当該第１の特徴及び第２の特徴のそれぞれと一致する第１の操作及び第２の操作に応じた表示処理を行うよう表示部を制御する
表示制御方法。
【請求項１７】
上記第１の操作と上記第２の操作は連続した操作である
請求項１６に記載の表示制御方法。
【請求項１８】
上記第１の操作と上記第２の操作は同時に行われる操作である
請求項１６に記載の表示制御方法。
【請求項１９】
上記タッチパネルは、上記表示部と一体に設けられている
請求項１６に記載の表示制御方法。
【請求項２０】
上記タッチパネルは、上記表示部とは別体に設けられている
請求項１６に記載の表示制御方法。
【請求項２１】
コンピュータに、
タッチパネルから送られてくる、タッチ操作が行われたときのタッチ位置を示す位置信号を取得するステップと、
上記位置信号に基づいて、タッチ操作の特徴として第１の特徴及び第２の特徴を検出し、当該第１の特徴及び第２の特徴のそれぞれと一致する第１の操作及び第２の操作に応じた表示処理を行うよう表示部を制御するステップと
を実行させるための表示制御プログラム。
【手続補正２】
【補正対象書類名】明細書
【補正対象項目名】発明の名称
【補正方法】変更
【補正の内容】
【発明の名称】表示制御装置、表示制御方法及び表示制御プログラム
【手続補正３】
【補正対象書類名】明細書
【補正対象項目名】０００１
【補正方法】変更
【補正の内容】
【０００１】
本発明は、表示制御装置、表示制御方法及び表示制御プログラムに関し、例えばタッチスクリーンに対する操作入力に応じて処理を行う情報処理装置に適用して好適なものである。
【手続補正４】
【補正対象書類名】明細書
【補正対象項目名】０００９
【補正方法】変更
【補正の内容】
【０００９】
本発明は以上の点を考慮してなされたもので、一段と多様な操作系を実現しうる表示制御装置、表示制御方法及び表示制御プログラムを提案しようとするものである。
【手続補正５】
【補正対象書類名】明細書
【補正対象項目名】００１０
【補正方法】変更
【補正の内容】
【００１０】
かかる課題を解決するため本発明においては、タッチパネルから送られてくる、タッチ操作が行われたときのタッチ位置を示す位置信号を取得する取得部と、位置信号に基づいて、タッチ操作の特徴として第１の特徴及び第２の特徴を検出し、当該第１の特徴及び第２の特徴のそれぞれと一致する第１の操作及び第２の操作に応じた表示処理を行うよう表示部を制御する制御部とを有するようにした。
【手続補正６】
【補正対象書類名】明細書
【補正対象項目名】００１１
【補正方法】変更
【補正の内容】
【００１１】
これにより本発明は、一度のタッチ操作に対して２つの表示処理を実行することができる。
【手続補正７】
【補正対象書類名】明細書
【補正対象項目名】００１２
【補正方法】変更
【補正の内容】
【００１２】
本発明によれば、一度のタッチ操作から２つの表示処理を実行することができ、かくして一段と多様な操作系を実現しうる表示制御装置、表示制御方法及び表示制御プログラムを実現できる。
【手続補正８】
【補正対象書類名】図面
【補正対象項目名】図８
【補正方法】変更
【補正の内容】
【図８】
2011081440.tif 000001
【手続補正９】
【補正対象書類名】図面
【補正対象項目名】図９
【補正方法】変更
【補正の内容】
【図９】
2011081440.tif 000002
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
クライアント装置及び画像形成装置と通信するサーバ装置において、
前記クライアント装置から送信されてくる印刷要求に従って、前記画像形成装置に対して印刷データを送信して印刷させる印刷サービスを実行する実行手段と、
前記実行手段により実行される印刷サービスの処理状況を、前記クライアント装置から繰り返し送信されてくるリクエストに応じて送信する送信手段と、
前記実行手段により実行される印刷サービスにおいて前記印刷要求に対応する処理が完了したことに応答して、前記クライアント装置から繰り返し送信される前記リクエストを停止させるクライアント制御手段と、
を備えるサーバ装置。
【請求項２】
前記実行手段により実行される印刷サービスにおいて、前記印刷要求に対応する処理が完了した後、前記実行手段により実行される印刷サービスから得たデータを削除する削除手段をさらに備える請求項１に記載のサーバ装置。
【請求項３】
画像形成装置に対して印刷サービスが提供する印刷データを送信して印刷させるサーバ装置と通信するクライアント装置において、
前記サーバ装置に対して印刷サービスに関わる印刷要求を送信する送信手段と、
前記サーバ装置に対して送信した印刷要求に応じて実行される印刷サービスの処理状況を繰り返し取得する取得手段と、
前記サーバ装置から前記印刷サービスにおける、前記印刷要求に応じた処理の完了を示す情報を受信する受信手段と、
前記受信手段が前記完了を示す情報を受信するのに応答して、前記取得手段による取得を停止する停止手段と、
を備えるクライアント装置。
【請求項４】
クライアント装置及び画像形成装置と通信するサーバ装置の制御方法において、
前記クライアント装置から送信されてくる印刷要求に従って、前記画像形成装置に対して印刷データを送信して印刷させる印刷サービスを実行する実行工程と、
前記実行工程により実行される印刷サービスの処理状況を、前記クライアント装置から繰り返し送信されてくるリクエストに応じて送信する送信工程と、
前記実行工程により実行される印刷サービスにおいて前記印刷要求に対応する処理が完了したことに応答して、前記クライアント装置から繰り返し送信される前記リクエストを停止させるクライアント制御工程と、
を備えるサーバ装置の制御方法。
【請求項５】
前記実行工程により実行される印刷サービスにおいて、前記印刷要求に対応する処理が完了した後、前記実行工程により実行される印刷サービスから得たデータを削除する削除工程をさらに備える請求項４に記載のサーバ装置の制御方法。
【請求項６】
画像形成装置に対して印刷サービスが提供する印刷データを送信して印刷させるサーバ装置と通信するクライアント装置の制御方法において、
前記サーバ装置に対して印刷サービスに関わる印刷要求を送信する送信工程と、
前記サーバ装置に対して送信した印刷要求に応じて実行される印刷サービスの処理状況を繰り返し取得する取得工程と、
前記サーバ装置から前記印刷サービスにおける、前記印刷要求に応じた処理の完了を示す情報を受信する受信工程と、
前記受信工程が前記完了を示す情報を受信するのに応答して、前記取得工程による取得を停止する停止工程と、
を備えるクライアント装置の制御方法。
【請求項７】
請求項４又は５に記載のサーバ装置の制御方法をコンピュータに実行させることを特徴とするサーバ装置の制御プログラム。
【請求項８】
請求項６に記載のクライアント装置の制御方法をコンピュータに実行させることを特徴とするクライアント装置の制御プログラム。
【手続補正書】
【提出日】平成24年9月19日(2012.9.19)
【手続補正１】
【補正対象書類名】明細書
【補正対象項目名】００９１
【補正方法】変更
【補正の内容】
【００９１】
また、アーキテクチャホストコントローラは、OSやドライバ等を含むプラットフォームソフトウェア（Platform Software）を有する。
【手続補正２】
【補正対象書類名】明細書
【補正対象項目名】０１１４
【補正方法】変更
【補正の内容】
【０１１４】
もちろん、クリップ情報にこれら以外の情報が含まれるようにしてもよい。例えば、図８の例の場合、領域４３２には、クリップ情報として、映像の、ラッパー（Wrapper）、ビット深度（Bit Depth）、色フォーマット名（Format）、色空間（Color Space）、およびレート制御方法（Rate Control）、音声のラッパー（Wrapper）、およびビット深度（Bit Depth）等が表示されている。つまりこれらの情報のクリップ情報に含めることができる。
【手続補正３】
【補正対象書類名】明細書
【補正対象項目名】０１５８
【補正方法】変更
【補正の内容】
【０１５８】
図１５Ｂの場合、クリップ間は矢印で紐付けされ、その矢印の向きが親子関係（親であるか若しくは子であるか）を示している。つまり、クリップ６０１に向かう向きの矢印６２１でクリップ６０１に紐付けされて示されるクリップ６０２は、クリップ６０１の親クリップである。また、クリップ６０１から離れる向きの矢印６２２でクリップ６０１に紐付けされて示されるクリップ６０３、クリップ６０１から離れる向きの矢印６２３でクリップ６０１に紐付けされて示されるクリップ６０４、および、クリップ６０１から離れる向きの矢印６２４でクリップ６０１に紐付けされて示されるクリップ６０５は、それぞれ、クリップ６０１の子クリップである。
【手続補正４】
【補正対象書類名】図面
【補正対象項目名】図２０
【補正方法】変更
【補正の内容】
【図２０】
2011081457.tif 000001
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
コンテンツにメタデータを付与する情報処理装置であって、
メタデータが付与されているコンテンツを記憶装置に蓄積する蓄積手段と、
メタデータを付与する対象コンテンツから、第１のメタデータのメタデータ値を取得する第１の取得手段と、
前記第１の取得手段により取得した第１のメタデータ値を検索条件として、前記記憶装置に蓄積しているコンテンツから第１のメタデータで第１の検索を行う第１の検索手段と、
前記第１の検索の結果集合に含まれる１または複数のコンテンツから、第１のメタデータとは異なる種類の第２のメタデータのメタデータ値を取得する第２の取得手段と、
前記第２の取得手段により取得した第２のメタデータ値を検索条件として、前記記憶装置に蓄積しているコンテンツから第２のメタデータで第２の検索を行う第２の検索手段と、
前記第１の検索の結果集合と、前記第２の検索の結果集合との間の重複度を判断する判断手段と、
前記重複度が所定の閾値を満たした場合、前記第２のメタデータ値を、前記メタデータを付与する対象のコンテンツのメタデータとして付与する付与手段と、
を備えることを特徴とする情報処理装置。
【請求項２】
前記第１のメタデータが画像特徴量であり、
前記第１の検索を行う第１の検索手段は類似画像検索を行うことを特徴とする請求項１に記載の情報処理装置。
【請求項３】
第１の検索手段が、類似画像検索を行い、
前記第２の検索手段は、前記類似画像検索の適合度が高いコンテンツに付与されているメタデータ値を用いて第２の検索を行うことを特徴とする請求項２に記載の情報処理装置。
【請求項４】
前記第２のメタデータ値の出現回数を集計する集計手段を更に備え、
前記第２の検索手段は、前記出現回数を集計する集計手段において集計した出現回数が高いものを用いて第２の検索を行うことを特徴とする請求項１に記載の情報処理装置。
【請求項５】
前記付与手段は、前記検索の結果集合の間の類似度に基づく情報を前記第２のメタデータ値に付与するとともに、複数のメタデータ値を第２のメタデータに付与することを特徴とする請求項１に記載の情報処理装置。
【請求項６】
前記検索の結果集合の間の重複度に基づく情報は、メタデータ値の信頼度であることを特徴とする請求項５に記載の情報処理装置。
【請求項７】
前記第１の検索の結果集合の中から、前記第２のメタデータ値の取得対象または取得除外対象とするコンテンツを指定する指定手段を更に備えることを特徴とする請求項１に記載の情報処理装置。
【請求項８】
コンテンツにメタデータを付与する情報処理方法であって、
メタデータが付与されているコンテンツを記憶装置に蓄積する蓄積工程と、
メタデータを付与する対象コンテンツから、第１のメタデータのメタデータ値を取得する第１の取得工程と、
前記第１の取得工程において取得した第１のメタデータ値を検索条件として、前記記憶装置に蓄積しているコンテンツから第１のメタデータで第１の検索を行う第１の検索工程と、
前記第１の検索の結果集合に含まれる１または複数のコンテンツから、第１のメタデータとは異なる種類の第２のメタデータのメタデータ値を取得する第２の取得工程と、
前記第２の取得工程において取得した第２のメタデータ値を検索条件として、前記記憶装置に蓄積しているコンテンツから第２のメタデータで第２の検索を行う第２の検索工程と、
前記第１の検索の結果集合と、前記第２の検索の結果集合との間の重複度を判断する判断工程と、
前記重複度が所定の閾値を満たした場合、前記第２のメタデータ値を、前記メタデータを付与する対象のコンテンツのメタデータとして付与する付与工程と、
を備えることを特徴とする情報処理方法。
【請求項９】
コンテンツにメタデータを付与する情報処理方法の各工程をコンピュータに実行させるプログラムであって、
メタデータが付与されているコンテンツを記憶装置に蓄積する蓄積工程と、
メタデータを付与する対象コンテンツから、第１のメタデータのメタデータ値を取得する第１の取得工程と、
前記第１の取得工程において取得した第１のメタデータ値を検索条件として、前記記憶装置に蓄積しているコンテンツから第１のメタデータで第１の検索を行う第１の検索工程と、
前記第１の検索の結果集合に含まれる１または複数のコンテンツから、第１のメタデータとは異なる種類の第２のメタデータのメタデータ値を取得する第２の取得工程と、
前記第２の取得工程において取得した第２のメタデータ値を検索条件として、前記記憶装置に蓄積しているコンテンツから第２のメタデータで第２の検索を行う第２の検索工程と、
前記第１の検索の結果集合と、前記第２の検索の結果集合との間の重複度を判断する判断工程と、
前記重複度が所定の閾値を満たした場合、前記第２のメタデータ値を、前記メタデータを付与する対象のコンテンツのメタデータとして付与する付与工程と、
をコンピュータに実行させることを特徴とするプログラム。
【手続補正２】
【補正対象書類名】明細書
【補正対象項目名】発明の名称
【補正方法】変更
【補正の内容】
【発明の名称】情報処理装置及び情報処理方法
【手続補正３】
【補正対象書類名】明細書
【補正対象項目名】０００１
【補正方法】変更
【補正の内容】
【０００１】
本発明は情報処理装置及び情報処理方法に関し、特に、写真に地名や被写体のメタデータを付与するために用いて好適な技術に関する。
【手続補正４】
【補正対象書類名】明細書
【補正対象項目名】０００７
【補正方法】変更
【補正の内容】
【０００７】
本発明の情報処理装置は、コンテンツにメタデータを付与する情報処理装置であって、メタデータが付与されているコンテンツを記憶装置に蓄積する蓄積手段と、メタデータを付与する対象コンテンツから、第１のメタデータのメタデータ値を取得する第１の取得手段と、前記第１の取得手段により取得した第１のメタデータ値を検索条件として、前記記憶装置に蓄積しているコンテンツから第１のメタデータで第１の検索を行う第１の検索手段と、前記第１の検索の結果集合に含まれる１または複数のコンテンツから、第１のメタデータとは異なる種類の第２のメタデータのメタデータ値を取得する第２の取得手段と、前記第２の取得手段により取得した第２のメタデータ値を検索条件として、前記記憶装置に蓄積しているコンテンツから第２のメタデータで第２の検索を行う第２の検索手段と、
前記第１の検索の結果集合と、前記第２の検索の結果集合との間の重複度を判断する判断手段と、前記重複度が所定の閾値を満たした場合、前記第２のメタデータ値を、前記メタデータを付与する対象のコンテンツのメタデータとして付与する付与手段とを備えることを特徴とする。
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
画像を入力する入力手段と、前記入力手段により入力された画像を分割して、それぞれがオーバラップしない領域とオーバーラップ領域とを含む複数のタイル画像を生成する生成手段と、前記生成手段により生成された複数のタイル画像それぞれに対して別々に画像処理を実行する画像処理手段とを有する画像処理装置であって、
前記生成手段は、前記タイル画像を生成する際に、前記オーバーラップ領域の画像の解像度が前記オーバラップしない領域の画像の解像度より小さくなるように、前記オーバーラップ領域の画像の解像度を変換することを特徴とする画像処理装置。
【請求項２】
前記生成手段は、前記オーバラップしない領域の画像の解像度を変換せずに、前記オーバーラップ領域の画像の解像度を小さくするように変換することを特徴とする請求項１に記載の画像処理装置。
【請求項３】
前記画像に基づいて印刷を実行する際の印刷モードを設定する設定手段を更に有し、
前記生成手段は、前記オーバーラップ領域の画像の解像度を前記設定手段により設定された印刷モードに応じた解像度に変換することを特徴とする請求項１又は２に記載の画像処理装置。
【請求項４】
前記オーバーラップ領域は複数のサブ領域を含み、前記生成手段は、前記複数のサブ領域の画像の解像度を領域ごとに異なる解像度に変換することを特徴とする請求項１乃至３の何れか１項に記載の画像処理装置。
【請求項５】
画像を入力する入力手段と、前記入力手段により入力された画像を分割して、それぞれがオーバラップしない領域とオーバーラップ領域とを含む複数のタイル画像を生成する生成手段と、前記生成手段により生成された複数のタイル画像それぞれに対して別々に画像処理を実行する画像処理手段とを有する画像処理装置であって、
前記生成手段は、前記タイル画像を生成する際に、前記オーバーラップ領域の画像が前記オーバラップしない領域の画像より高い圧縮率で圧縮されるように、前記オーバーラップ領域の画像を圧縮することを特徴とする画像処理装置。
【請求項６】
前記生成手段は、前記オーバラップしない領域の画像を第１の圧縮率で圧縮して、前記オーバーラップ領域の画像を前記第１の圧縮率より高い第２の圧縮率で圧縮することを特徴とする請求項５に記載の画像処理装置。
【請求項７】
画像処理装置の制御方法であって、
画像を入力する入力工程と、
前記入力工程により入力された画像を分割して、それぞれがオーバラップしない領域とオーバーラップ領域とを含む複数のタイル画像を生成する生成工程と、
前記生成工程により生成された複数のタイル画像それぞれに対して別々に画像処理を実行する画像処理工程とを有し、
前記生成工程では、前記タイル画像を生成する際に、前記オーバーラップ領域の画像の解像度が前記オーバラップしない領域の画像の解像度より小さくなるように、前記オーバーラップ領域の画像の解像度を変換することを特徴とする制御方法。
【請求項８】
画像処理装置の制御方法であって、
画像を入力する入力工程と、
前記入力工程により入力された画像を分割して、それぞれがオーバラップしない領域とオーバーラップ領域とを含む複数のタイル画像を生成する生成工程と、
前記生成工程により生成された複数のタイル画像それぞれに対して別々に画像処理を実行する画像処理工程とを有し、
前記生成工程では、前記タイル画像を生成する際に、前記オーバーラップ領域の画像が前記オーバラップしない領域の画像より高い圧縮率で圧縮されるように、前記オーバーラップ領域の画像を圧縮することを特徴とする制御方法。
【請求項９】
画像処理装置に、
画像を入力する入力工程と、
前記入力工程により入力された画像を分割して、それぞれがオーバラップしない領域とオーバーラップ領域とを含む複数のタイル画像を生成する生成工程と、
前記生成工程により生成された複数のタイル画像それぞれに対して別々に画像処理を実行する画像処理工程とを実行させるためのプログラムであって、
前記生成工程では、前記タイル画像を生成する際に、前記オーバーラップ領域の画像の解像度が前記オーバラップしない領域の画像の解像度より小さくなるように、前記オーバーラップ領域の画像の解像度を変換することを特徴とするプログラム。
【請求項１０】
画像処理装置に、
画像を入力する入力工程と、
前記入力工程により入力された画像を分割して、それぞれがオーバラップしない領域とオーバーラップ領域とを含む複数のタイル画像を生成する生成工程と、
前記生成工程により生成された複数のタイル画像それぞれに対して別々に画像処理を実行する画像処理工程とを実行させるためのプログラムであって、
前記生成工程では、前記タイル画像を生成する際に、前記オーバーラップ領域の画像が前記オーバラップしない領域の画像より高い圧縮率で圧縮されるように、前記オーバーラップ領域の画像を圧縮することを特徴とするプログラム。
【手続補正２】
【補正対象書類名】明細書
【補正対象項目名】発明の名称
【補正方法】変更
【補正の内容】
【発明の名称】画像処理装置及びその制御方法とプログラム
【手続補正３】
【補正対象書類名】明細書
【補正対象項目名】０００１
【補正方法】変更
【補正の内容】
【０００１】
本発明は、画像データに所定の画像処理を施して出力をする画像処理装置及びその制御方法とプログラムに関するものである。
【手続補正４】
【補正対象書類名】明細書
【補正対象項目名】０００９
【補正方法】変更
【補正の内容】
【０００９】
本発明の特徴は、オーバーラップ領域の画像のデータ量を少なくして画像処理を実現できる画像処理装置及びその制御方法とプログラムを提供することにある。
【手続補正５】
【補正対象書類名】明細書
【補正対象項目名】００１０
【補正方法】変更
【補正の内容】
【００１０】
上記目的を達成するために本発明の一態様に係る画像処理装置は以下のような構成を備える。即ち、
画像を入力する入力手段と、前記入力手段により入力された画像を分割して、それぞれがオーバラップしない領域とオーバーラップ領域とを含む複数のタイル画像を生成する生成手段と、前記生成手段により生成された複数のタイル画像それぞれに対して別々に画像処理を実行する画像処理手段とを有する画像処理装置であって、
前記生成手段は、前記タイル画像を生成する際に、前記オーバーラップ領域の画像の解像度が前記オーバラップしない領域の画像の解像度より小さくなるように、前記オーバーラップ領域の画像の解像度を変換することを特徴とする。
【手続補正６】
【補正対象書類名】明細書
【補正対象項目名】００１１
【補正方法】変更
【補正の内容】
【００１１】
本発明によれば、オーバーラップ領域の画像のデータ量を少なくして画像処理を実現できる。これにより、メモリのスループットの負担を小さくし、画像処理のコストパフォーマンスを高めることができる。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
移動端末のユーザの所在位置を示す情報を含む位置情報に基づいて、所定領域における人の移動方向を推定する移動方向推定装置であって、
複数の前記位置情報を取得する位置情報取得手段と、
地理的な単位領域を規定するメッシュに関する情報であり予め記憶されたメッシュ情報を取得する地域情報取得手段と、
前記地域情報取得手段により取得された前記メッシュ情報に基づいて、前記位置情報取得手段により取得された前記位置情報に示される所在位置が属する前記メッシュである所属メッシュを前記位置情報毎に判定する所属メッシュ判定手段と、
前記所属メッシュ判定手段により判定された前記所属メッシュに基づいて一の前記メッシュに含まれる前記位置情報を抽出し、抽出した前記位置情報に含まれる同一ユーザの複数の前記位置情報に基づいて、当該ユーザの移動方向を表すベクトルデータをユーザ毎に生成する移動方向生成手段と、
前記移動方向生成手段により生成されたユーザ毎の前記ベクトルデータを合成し、前記一のメッシュにおける人の移動方向を表す移動方向情報を生成する移動方向集計手段と、
前記移動方向集計手段により生成された前記移動方向情報を出力する処理結果出力手段とを備え、
前記位置情報は、当該位置情報に示される所在位置が測位された時刻である測位時刻に関する情報を含み、
前記移動方向生成手段は、前記測位時刻に基づき、前記一のメッシュに含まれる同一ユーザの複数の前記位置情報から、該メッシュにおける該ユーザの始点位置情報及び終点位置情報を抽出し、抽出された該始点位置情報及び該終点位置情報に基づき該ユーザのベクトルデータを生成する、
ことを特徴とする移動方向推定装置。
【請求項２】
前記移動方向生成手段は、
前記一のメッシュに含まれる同一ユーザの複数の前記位置情報から、測位時刻が最も早い位置情報及び最も遅い位置情報をそれぞれ前記始点位置情報及び前記終点位置情報として抽出し、前記始点位置情報に示される所在位置を始点とし前記終点位置情報に示される所在位置を終点とする前記ベクトルデータを生成する、
ことを特徴とする請求項１に記載の移動方向推定装置。
【請求項３】
前記移動方向生成手段は、
同一ユーザの前記位置情報に示される所在位置を時系列に並べた軌跡が、第１のメッシュから第２のメッシュに向かうようにメッシュの境界を跨いでいる場合において、前記所在位置の軌跡と前記メッシュの境界との交点を求め、前記第１のメッシュにおける当該ユーザの前記ベクトルデータを生成する場合には、当該交点を前記終点とし、前記第２のメッシュにおける当該ユーザの前記ベクトルデータを生成する場合には、当該交点を前記始点とする
ことを特徴とする請求項２に記載の移動方向推定装置。
【請求項４】
前記移動方向生成手段は、前記始点から前記終点に至る方向を向きとして、大きさを所定の単位長さとするベクトルデータを生成する
ことを特徴とする請求項２または３に記載の移動方向推定装置。
【請求項５】
前記位置情報は、前記移動端末が備えるＧＰＳ装置により測位された所在位置を示す情報を含むことを特徴とする請求項１〜４のいずれか１項に記載の移動方向推定装置。
【請求項６】
前記位置情報は、前記移動端末が在圏するセクタを制御する基地局の所在位置を、当該移動端末のユーザの所在位置を示す情報として含む
ことを特徴とする請求項１〜５のいずれか１項に記載の移動方向推定装置。
【請求項７】
移動端末のユーザの所在位置を示す情報を含む位置情報に基づいて、所定領域における人の移動方向を推定する移動方向推定装置における移動方向推定方法であって、
複数の前記位置情報を取得する位置情報取得ステップと、
地理的な単位領域を規定するメッシュに関する情報であり予め記憶されたメッシュ情報を取得する地域情報取得ステップと、
前記地域情報取得ステップにおいて取得された前記メッシュ情報に基づいて、前記位置情報取得ステップにおいて取得された前記位置情報に示される所在位置が属する前記メッシュである所属メッシュを前記位置情報毎に判定する所属メッシュ判定ステップと、
前記所属メッシュ判定ステップにおいて判定された前記所属メッシュに基づいて一の前記メッシュに含まれる前記位置情報を抽出し、抽出した前記位置情報に含まれる同一ユーザの複数の前記位置情報に基づいて、当該ユーザの移動方向を表すベクトルデータをユーザ毎に生成する移動方向生成ステップと、
前記移動方向生成ステップにおいて生成されたユーザ毎の前記ベクトルデータを合成し、前記一のメッシュにおける人の移動方向を表す移動方向情報を生成する移動方向集計ステップと、
前記移動方向集計ステップにおいて生成された前記移動方向情報を出力する処理結果出力手段とを有し、
前記位置情報は、当該位置情報に示される所在位置が測位された時刻である測位時刻に関する情報を含み、
前記移動方向生成ステップにおいて、前記測位時刻に基づき、前記一のメッシュに含まれる同一ユーザの複数の前記位置情報から、該メッシュにおける該ユーザの始点位置情報及び終点位置情報を抽出し、抽出された該始点位置情報及び該終点位置情報に基づき該ユーザのベクトルデータを生成する、
ことを特徴とする移動方向推定方法。